(57)【要約】【課題】ＢＤ規格やＡＶＣＨＤ規格などの規格対応データと規格非対応データを併せて利用可能なデータ記録再生構成を実現する。【解決手段】メディアに対するデータ記録処理に際して、記録データがＢＤ規格やＡＶＣＨＤ規格などの規格対応データである場合は、規格対応データ専用管理情報ファイルに記録データの管理情報を記録し、規格非対応データである場合はファイルリストに記録データの再生に適用するファイル識別情報であるＵＲＩ（Ｕｎｉｆｏｒｍ  Ｒｅｓｏｕｒｃｅ  Ｉｄｅｎｔｉｆｉｅｒ）を記録する。規格対応データの再生時には規格対応データ専用管理情報ファイルを利用し、規格非対応データの再生時にはファイルリストを適用して再生処理を行う。【選択図】図２
2010244636.tif 000002
【特許請求の範囲】
【請求項１】
メディアに対するデータ記録処理に際して、記録データに関する管理情報を記録したファイルリストの生成または更新処理を行うデータ処理部を有し、
前記データ処理部は、
前記記録データが予め規定された所定のデータ記録再生フォーマットに対応した規格対応データである場合は、規格対応データ専用管理情報ファイルに前記記録データに関する管理情報を記録し、
前記記録データが予め規定された所定のデータ記録再生フォーマットに対応しない規格非対応データである場合は、前記ファイルリストに前記記録データの再生に適用するファイルの識別情報を記録する処理を行う情報処理装置。
【請求項２】
前記データ処理部は、
前記ファイルリストに、前記記録データの再生に適用するファイルの識別情報であるＵＲＩ（Ｕｎｉｆｏｒｍ  Ｒｅｓｏｕｒｃｅ  Ｉｄｅｎｔｉｆｉｅｒ）を記録する請求項１に記載の情報処理装置。
【請求項３】
前記データ処理部は、
前記規格対応データ専用管理情報ファイルに含まれ、前記ファイルリストに含まれないデータの管理情報を前記ファイルリストに追加記録するファイルリスト更新処理を実行する請求項１に記載の情報処理装置。
【請求項４】
前記データ処理部は、
前記ファイルリストを、メディアに記録された再生用データを格納したデータファイルの全てをアクセス可能としたＵＲＩを含む構成に更新する処理を行う請求項３に記載の情報処理装置。
【請求項５】
前記データ処理部は、さらに、前記ファイルリストに前記記録データに関するシームレス再生可否情報、または記録日時情報の少なくともいずれかの情報を記録する請求項１に記載の情報処理装置。
【請求項６】
前記所定のデータ記録再生フォーマットの規格はＢＤ規格またはＡＶＣＨＤ規格、いずれかの規格であり、
前記データ処理部は、
前記記録データがＢＤ規格またはＡＶＣＨＤ規格に対応する規格対応データである場合は、規格対応データ用の管理情報ファイルとしてインデックスファイルとムービーオブジェクトファイル、さらにプレイリストファイルを生成または更新する処理を行い、
前記記録データがＢＤ規格またはＡＶＣＨＤ規格に対応しない規格非対応データである場合は、前記ファイルリストに前記規格非対応データの再生に適用するファイルの識別情報を記録する処理を行う請求項１に記載の情報処理装置。
【請求項７】
メディアからのデータ再生処理を行うデータ処理部を有し、
前記データ処理部は、
再生対象データが予め規定された所定のデータ記録再生フォーマットに対応した規格対応データである場合は、規格対応データ専用管理情報ファイルを適用して前記再生対象データを格納したデータファイルを取得して再生処理を実行し、
再生対象データが予め規定された所定のデータ記録再生フォーマットに対応しない規格非対応データである場合は、ファイルリストに記録されたファイル識別情報を取得し、該ファイル識別情報を用いて再生対象データを格納したデータファイルまたは該データファイルの再生に適用するファイルを取得して再生処理を実行する情報処理装置。
【請求項８】
前記データ処理部は、
前記ファイルリストから、ファイルの識別情報であるＵＲＩ（Ｕｎｉｆｏｒｍ  Ｒｅｓｏｕｒｃｅ  Ｉｄｅｎｔｉｆｉｅｒ）を取得し、ＵＲＩを用いて再生対象データを格納したデータファイルまたは該データファイルの再生に適用するファイルを取得して再生処理を実行する請求項７に記載の情報処理装置。
【請求項９】
前記データ処理部は、
前記規格対応データ専用管理情報ファイルに含まれ、前記ファイルリストに含まれないデータの管理情報を前記ファイルリストに追加記録するファイルリスト更新処理を実行する請求項７に記載の情報処理装置。
【請求項１０】
前記データ処理部は、
前記ファイルリストを適用した再生処理を行う場合に、
前記規格対応データ専用管理情報ファイルに含まれ、前記ファイルリストに含まれないデータの管理情報が存在するか否かの検証処理を実行し、存在すると判定した場合に前記ファイルリストの更新処理を実行し、ファイルリスト更新処理の完了後に、前記ファイルリストを適用した再生処理を行う請求項９に記載の情報処理装置。
【請求項１１】
情報処理装置において再生対象とする再生用データと、
所定のデータ記録再生フォーマットに対応した規格対応の再生用データ専用の管理情報を格納した規格対応データ専用管理情報ファイルと、
前記所定のデータ記録再生フォーマットに対応しない規格非対応の再生用データを含むデータの管理情報であるファイルリストを記録した構成を有し、
情報処理装置が前記ファイルリストまたは前記規格対応データ専用管理情報ファイルを選択適用して前記再生用データの再生処理を行うことを可能とした情報記録媒体。
【請求項１２】
前記ファイルリストは、
前記再生用データの再生処理に適用するファイルの識別情報であるＵＲＩ（Ｕｎｉｆｏｒｍ  Ｒｅｓｏｕｒｃｅ  Ｉｄｅｎｔｉｆｉｅｒ）を記録したリストであり、
前記情報処理装置は、前記ファイルリストからＵＲＩを取得し、ＵＲＩを用いて再生用データを格納したデータファイルまたは該データファイルの再生に適用するファイルを取得して再生処理を実行可能とした請求項１１に記載の情報記録媒体。
【請求項１３】
情報処理装置において実行する情報処理方法であり、
データ処理部が、メディアに対するデータ記録処理に際して、記録データに関する管理情報を記録したファイルリストの生成または更新処理を行うデータ処理ステップを有し、
前記データ処理ステップは、
前記記録データが予め規定された所定のデータ記録再生フォーマットに対応した規格対応データである場合は、規格対応データ専用管理情報ファイルに前記記録データに関する管理情報を記録し、
前記記録データが予め規定された所定のデータ記録再生フォーマットに対応しない規格非対応データである場合は、前記ファイルリストに前記記録データの再生に適用するファイルの識別情報を記録するステップを含む情報処理方法。
【請求項１４】
情報処理装置において実行する情報処理方法であり、
データ処理部が、メディアからのデータ再生処理を行うデータ処理ステップを有し、
前記データ処理ステップは、
再生対象データが予め規定された所定のデータ記録再生フォーマットに対応した規格対応データである場合は、規格対応データ専用管理情報ファイルを適用して前記再生対象データを格納したデータファイルを取得して再生処理を実行し、
再生対象データが予め規定された所定のデータ記録再生フォーマットに対応しない規格非対応データである場合は、ファイルリストに記録されたファイル識別情報を取得し、該ファイル識別情報を用いて再生対象データを格納したデータファイルまたは該データファイルの再生に適用するファイルを取得して再生処理を実行するステップを含む情報処理方法。
【請求項１５】
情報処理装置において情報処理を実行させるプログラムであり、
データ処理部に、メディアに対するデータ記録処理に際して、記録データに関する管理情報を記録したファイルリストの生成または更新処理を行わせるデータ処理ステップを有し、
前記データ処理ステップは、
前記記録データが予め規定された所定のデータ記録再生フォーマットに対応した規格対応データである場合は、規格対応データ専用管理情報ファイルに前記記録データに関する管理情報を記録し、
前記記録データが予め規定された所定のデータ記録再生フォーマットに対応しない規格非対応データである場合は、前記ファイルリストに前記記録データの再生に適用するファイルの識別情報を記録する処理を行わせるステップを含むプログラム。
【請求項１６】
情報処理装置において情報処理を実行させるプログラムであり、
データ処理部に、メディアからのデータ再生処理を行わせるデータ処理ステップを有し、
前記データ処理ステップは、
再生対象データが予め規定された所定のデータ記録再生フォーマットに対応した規格対応データである場合は、規格対応データ専用管理情報ファイルを適用して前記再生対象データを格納したデータファイルを取得して再生処理を実行し、
再生対象データが予め規定された所定のデータ記録再生フォーマットに対応しない規格非対応データである場合は、ファイルリストに記録されたファイル識別情報を取得し、該ファイル識別情報を用いて再生対象データを格納したデータファイルまたは該データファイルの再生に適用するファイルを取得して再生処理を実行させるステップを含むプログラム。
【発明の詳細な説明】
【技術分野】
【０００１】
本発明は、情報処理装置、情報記録媒体、および情報処理方法、並びにプログラムに関する。さらに詳細には、ディスクやフラッシュメモリなどの記録メディアを利用したデータ記録処理またはデータ再生処理を実行する情報処理装置、情報記録媒体、および情報処理方法、並びにプログラムに関する。
【背景技術】
【０００２】
例えば記録再生機器やビデオカメラなどにおいて、ハードディスクや、ＤＶＤ、Ｂｌｕ−ｒａｙ  Ｄｉｓｃ（登録商標）などのディスク型メディア、あるいはフラッシュメモリなど様々なメディアが利用される。
【０００３】
メディアを利用したデータ記録再生を行う場合、装置において実行される記録再生アプリケーションは、あらかじめ規定されたフォーマットに従ってデータ記録再生処理を行う。例えば高精細ハイビジョン映像の記録再生フォーマットの規格としてＡＶＣＨＤ（Ａｄｖａｎｃｅｄ  Ｖｉｄｅｏ  Ｃｏｄｅｃ  Ｈｉｇｈ  Ｄｅｆｉｎｉｔｉｏｎ）規格や、ＢＤ（Ｂｌｕ−ｒａｙ  Ｄｉｓｃ）規格がある。なお、ＡＶＣＨＤ規格については、例えば、特許文献１（特開２００８−５２９４号公報）、特許文献２（特開２００８−５２９５号公報）に記載がある。またＢＤ規格については例えば特許文献３（特開２００７−１７９６７１号公報）に記載がある。
【０００４】
ＡＶＣＨＤ規格やＢＤ規格では、記録処理あるいは再生処理の許容対象とするデータ形式を規定している。例えばＨＤ（Ｈｉｇｈ  Ｄｅｆｉｎｉｔｉｏｎ）画像の記録再生を行う場合、１０８０／６０ｉ、１０８０／５０ｉなどの予め決められた形式のデータの記録再生を行う。なお、［１０８０／６０ｉ］は、１９２０×１０８０画素のＨＤ（Ｈｉｇｈ  Ｄｅｆｉｎｉｔｉｏｎ）画像をインタレース方式で、１秒間に６０枚のフィールド画像として１０８０ラインの記録再生を行うことを示している。［ｉ］がインタレース方式を示している。ちなみにプログレッシブ方式は［ｐ］として示される。
【０００５】
現在のハイビジョンデータは１９２０×１０８０画素の画像として規定されているが、さらに高精細画像として約４０００×２０００画素（＝４Ｋ×２Ｋ）の画像の記録および再生を行う装置が開発されている。また、上述のインタレース方式と異なるプロクレッシブ方式での記録再生を行う［１０８０／６０ｐ］、あるいは、三次元立体画像である３Ｄ画像用の右眼用画像と左眼用画像の記録再生を行う装置など、様々な装置の開発がなされている。
【０００６】
しかし、ＡＶＣＨＤ規格やＢＤ規格は４Ｋ×２Ｋ画像や、１０８０／６０ｐ、３Ｄ画像データを記録再生データとして許容していない。従って、記録データとして４Ｋ×２Ｋの超高精細画像を生成しても、既存のＡＶＣＨＤ規格やＢＤ規格を適用したデータ記録を行うことができないという問題がある。
【０００７】
この問題を解決する１つの方法としては、［４Ｋ×２Ｋ］画像や、［１０８０／６０ｐ］、［３Ｄ］画像、さらに現在の高精細画像である［１０８０／６０ｉ］などの様々な画像を記録するための新たな規格を定義することが考えられる。しかし、このような新規格を定義した場合、既存のＡＶＣＨＤ規格やＢＤ規格に従ったデータ記録、再生を行う既存の装置が利用できなくなるという問題が発生する。
【先行技術文献】
【特許文献】
【０００８】
【特許文献１】特開２００８−５２９４号公報
【特許文献２】特開２００８−５２９５号公報
【特許文献３】特開２００７−１７９６７１号公報
【発明の概要】
【発明が解決しようとする課題】
【０００９】
本発明は、例えば上述の状況に鑑みてなされたものであり、既存のＡＶＣＨＤ規格やＢＤ規格に対応する規格対応データと、ＡＶＣＨＤ規格やＢＤ規格に対応しない規格非対応データの両者を記録可能とするとともに、少なくとも規格対応データについては、ＡＶＣＨＤ規格やＢＤ規格に従ったデータ記録再生を行う既存装置においても利用可能とする構成を実現する情報処理装置、情報記録媒体、および情報処理方法、並びにプログラムを提供することを目的とする。
【課題を解決するための手段】
【００１０】
本発明の第１の側面は、
メディアに対するデータ記録処理に際して、記録データに関する管理情報を記録したファイルリストの生成または更新処理を行うデータ処理部を有し、
前記データ処理部は、
前記記録データが予め規定された所定のデータ記録再生フォーマットに対応した規格対応データである場合は、規格対応データ専用管理情報ファイルに前記記録データに関する管理情報を記録し、
前記記録データが予め規定された所定のデータ記録再生フォーマットに対応しない規格非対応データである場合は、前記ファイルリストに前記記録データの再生に適用するファイルの識別情報を記録する処理を行う情報処理装置にある。
【００１１】
さらに、本発明の情報処理装置の一実施態様において、前記データ処理部は、前記ファイルリストに、前記記録データの再生に適用するファイルの識別情報であるＵＲＩ（Ｕｎｉｆｏｒｍ  Ｒｅｓｏｕｒｃｅ  Ｉｄｅｎｔｉｆｉｅｒ）を記録する。
【００１２】
さらに、本発明の情報処理装置の一実施態様において、前記データ処理部は、前記規格対応データ専用管理情報ファイルに含まれ、前記ファイルリストに含まれないデータの管理情報を前記ファイルリストに追加記録するファイルリスト更新処理を実行する。
【００１３】
さらに、本発明の情報処理装置の一実施態様において、前記データ処理部は、前記ファイルリストを、メディアに記録された再生用データを格納したデータファイルの全てをアクセス可能としたＵＲＩを含む構成に更新する処理を行う。
【００１４】
さらに、本発明の情報処理装置の一実施態様において、前記データ処理部は、さらに、前記ファイルリストに前記記録データに関するシームレス再生可否情報、または記録日時情報の少なくともいずれかの情報を記録する。
【００１５】
さらに、本発明の情報処理装置の一実施態様において、前記所定のデータ記録再生フォーマットの規格はＢＤ規格またはＡＶＣＨＤ規格、いずれかの規格であり、前記データ処理部は、前記記録データがＢＤ規格またはＡＶＣＨＤ規格に対応する規格対応データである場合は、規格対応データ用の管理情報ファイルとしてインデックスファイルとムービーオブジェクトファイル、さらにプレイリストファイルを生成または更新する処理を行い、前記記録データがＢＤ規格またはＡＶＣＨＤ規格に対応しない規格非対応データである場合は、前記ファイルリストに前記規格非対応データの再生に適用するファイルの識別情報を記録する処理を行う。
【００１６】
さらに、本発明の第２の側面は、
メディアからのデータ再生処理を行うデータ処理部を有し、
前記データ処理部は、
再生対象データが予め規定された所定のデータ記録再生フォーマットに対応した規格対応データである場合は、規格対応データ専用管理情報ファイルを適用して前記再生対象データを格納したデータファイルを取得して再生処理を実行し、
再生対象データが予め規定された所定のデータ記録再生フォーマットに対応しない規格非対応データである場合は、ファイルリストに記録されたファイル識別情報を取得し、該ファイル識別情報を用いて再生対象データを格納したデータファイルまたは該データファイルの再生に適用するファイルを取得して再生処理を実行する情報処理装置にある。
【００１７】
さらに、本発明の情報処理装置の一実施態様において、前記データ処理部は、前記ファイルリストから、ファイルの識別情報であるＵＲＩ（Ｕｎｉｆｏｒｍ  Ｒｅｓｏｕｒｃｅ  Ｉｄｅｎｔｉｆｉｅｒ）を取得し、ＵＲＩを用いて再生対象データを格納したデータファイルまたは該データファイルの再生に適用するファイルを取得して再生処理を実行する。
【００１８】
さらに、本発明の情報処理装置の一実施態様において、前記データ処理部は、前記規格対応データ専用管理情報ファイルに含まれ、前記ファイルリストに含まれないデータの管理情報を前記ファイルリストに追加記録するファイルリスト更新処理を実行する。
【００１９】
さらに、本発明の情報処理装置の一実施態様において、前記データ処理部は、前記ファイルリストを適用した再生処理を行う場合に、前記規格対応データ専用管理情報ファイルに含まれ、前記ファイルリストに含まれないデータの管理情報が存在するか否かの検証処理を実行し、存在すると判定した場合に前記ファイルリストの更新処理を実行し、ファイルリスト更新処理の完了後に、前記ファイルリストを適用した再生処理を行う。
【００２０】
さらに、本発明の第３の側面は、
情報処理装置において再生対象とする再生用データと、
所定のデータ記録再生フォーマットに対応した規格対応の再生用データ専用の管理情報を格納した規格対応データ専用管理情報ファイルと、
前記所定のデータ記録再生フォーマットに対応しない規格非対応の再生用データを含むデータの管理情報であるファイルリストを記録した構成を有し、
情報処理装置が前記ファイルリストまたは前記規格対応データ専用管理情報ファイルを選択適用して前記再生用データの再生処理を行うことを可能とした情報記録媒体にある。
【００２１】
さらに、本発明の情報記録媒体の一実施態様において、前記ファイルリストは、前記再生用データの再生処理に適用するファイルの識別情報であるＵＲＩ（Ｕｎｉｆｏｒｍ  Ｒｅｓｏｕｒｃｅ  Ｉｄｅｎｔｉｆｉｅｒ）を記録したリストであり、前記情報処理装置は、前記ファイルリストからＵＲＩを取得し、ＵＲＩを用いて再生用データを格納したデータファイルまたは該データファイルの再生に適用するファイルを取得して再生処理を実行可能とした。
【００２２】
さらに、本発明の第４の側面は、
情報処理装置において実行する情報処理方法であり、
データ処理部が、メディアに対するデータ記録処理に際して、記録データに関する管理情報を記録したファイルリストの生成または更新処理を行うデータ処理ステップを有し、
前記データ処理ステップは、
前記記録データが予め規定された所定のデータ記録再生フォーマットに対応した規格対応データである場合は、規格対応データ専用管理情報ファイルに前記記録データに関する管理情報を記録し、
前記記録データが予め規定された所定のデータ記録再生フォーマットに対応しない規格非対応データである場合は、前記ファイルリストに前記記録データの再生に適用するファイルの識別情報を記録するステップを含む情報処理方法にある。
【００２３】
さらに、本発明の第５の側面は、
情報処理装置において実行する情報処理方法であり、
データ処理部が、メディアからのデータ再生処理を行うデータ処理ステップを有し、
前記データ処理ステップは、
再生対象データが予め規定された所定のデータ記録再生フォーマットに対応した規格対応データである場合は、規格対応データ専用管理情報ファイルを適用して前記再生対象データを格納したデータファイルを取得して再生処理を実行し、
再生対象データが予め規定された所定のデータ記録再生フォーマットに対応しない規格非対応データである場合は、ファイルリストに記録されたファイル識別情報を取得し、該ファイル識別情報を用いて再生対象データを格納したデータファイルまたは該データファイルの再生に適用するファイルを取得して再生処理を実行するステップを含む情報処理方法にある。
【００２４】
さらに、本発明の第６の側面は、
情報処理装置において情報処理を実行させるプログラムであり、
データ処理部に、メディアに対するデータ記録処理に際して、記録データに関する管理情報を記録したファイルリストの生成または更新処理を行わせるデータ処理ステップを有し、
前記データ処理ステップは、
前記記録データが予め規定された所定のデータ記録再生フォーマットに対応した規格対応データである場合は、規格対応データ専用管理情報ファイルに前記記録データに関する管理情報を記録し、
前記記録データが予め規定された所定のデータ記録再生フォーマットに対応しない規格非対応データである場合は、前記ファイルリストに前記記録データの再生に適用するファイルの識別情報を記録する処理を行わせるステップを含むプログラムにある。
【００２５】
さらに、本発明の第７の側面は、
情報処理装置において情報処理を実行させるプログラムであり、
データ処理部に、メディアからのデータ再生処理を行わせるデータ処理ステップを有し、
前記データ処理ステップは、
再生対象データが予め規定された所定のデータ記録再生フォーマットに対応した規格対応データである場合は、規格対応データ専用管理情報ファイルを適用して前記再生対象データを格納したデータファイルを取得して再生処理を実行し、
再生対象データが予め規定された所定のデータ記録再生フォーマットに対応しない規格非対応データである場合は、ファイルリストに記録されたファイル識別情報を取得し、該ファイル識別情報を用いて再生対象データを格納したデータファイルまたは該データファイルの再生に適用するファイルを取得して再生処理を実行させるステップを含むプログラムにある。
【００２６】
なお、本発明のプログラムは、例えば、様々なプログラム・コードを実行可能な画像処理装置やコンピュータ・システムに対して、コンピュータ可読な形式で提供する記憶媒体、通信媒体によって提供可能なプログラムである。このようなプログラムをコンピュータ可読な形式で提供することにより、画像処理装置やコンピュータ・システム上でプログラムに応じた処理が実現される。
【００２７】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２８】
本発明の一実施例によれば、メディアに対するデータ記録処理に際して、記録データがＢＤ規格やＡＶＣＨＤ規格などの規格対応データである場合は、規格対応データ専用管理情報ファイルに記録データの管理情報を記録し、規格非対応データである場合はファイルリストに記録データの再生に適用するファイル識別情報であるＵＲＩ（Ｕｎｉｆｏｒｍ  Ｒｅｓｏｕｒｃｅ  Ｉｄｅｎｔｉｆｉｅｒ）を記録する。規格対応データの再生時には規格対応データ専用管理情報ファイルを利用し、規格非対応データの再生時にはファイルリストを適用して再生処理を行う。
【図面の簡単な説明】
【００２９】
【図１】ＢＤ規格およびＡＶＣＨＤ規格に従ったメディア（情報記録媒体）のファイル管理構造としてのディレクトリ構成を示す図である。
【図２】本発明の一実施例に係るメディアの記録データの管理構成としてのディレクトリ構成を示す図である。
【図３】ファイルリストの記録データの例について説明する図である。
【図４】装置およびメディア状態に応じたデータ再生処理の処理態様について説明する図である。
【図５】本発明の一実施例に係る情報処理装置の実行するデータ再生処理のシーケンスについて説明するフローチャートを示す図である。
【図６】装置およびメディア状態に応じたデータ記録処理の処理態様について説明する図である。
【図７】本発明の一実施例に係る情報処理装置の実行するデータ記録処理のシーケンスについて説明するフローチャートを示す図である。
【図８】本発明の一実施例に係るメディアの記録データの管理構成としてのディレクトリ構成を示す図である。
【図９】ファイルリストの記録データの例について説明する図である。
【図１０】本発明の一実施例に係る情報処理装置の実行するデータ再生処理のシーケンスについて説明するフローチャートを示す図である。
【図１１】本発明の一実施例に係る情報処理装置の実行するデータ記録処理のシーケンスについて説明するフローチャートを示す図である。
【図１２】ファイルリストの記録データの例について説明する図である。
【図１３】本発明の一実施例に係る情報処理装置の構成について説明する図である。
【発明を実施するための形態】
【００３０】
以下、図面を参照しながら本発明の情報処理装置、情報記録媒体、および情報処理方法、並びにプログラムの詳細について説明する。説明は、以下の項目に従って行う。
１．ＢＤ規格およびＡＶＣＨＤ規格の概要
２．規格対応データと規格非対応データの記録、再生を可能とする記録データ管理構成例（第１実施例）
３．メディアからのデータ再生処理およびメディアに対するデータ記録処理について
４．規格対応データと規格非対応データの記録、再生を可能とする記録データ管理構成例（第２実施例）
５．規格対応データと規格非対応データの記録、再生を可能とする記録データ管理構成例（第３実施例）
６．情報処理装置の構成例
【００３１】
［１．ＢＤ規格およびＡＶＣＨＤ規格の概要］
まず、既存のＢＤ規格およびＡＶＣＨＤ規格の概要について説明する。前述したように、ＢＤ（Ｂｌｕ−ｒａｙ  Ｄｉｓｃ）規格、およびＡＶＣＨＤ（Ａｄｖａｎｃｅｄ  Ｖｉｄｅｏ  Ｃｏｄｅｃ  Ｈｉｇｈ  Ｄｅｆｉｎｉｔｉｏｎ）規格はいずれも、例えば高精細ハイビジョン映像を記録可能としたデータ記録再生フォーマットの規格であり、すでに現行のビデオカメラやＢＤ記録再生機などにおいて利用されている。
【００３２】
図１は、ＢＤ規格またはＡＶＣＨＤ規格に従ってメディア（情報記録媒体）に記録されるデータの管理構造、すなわちディレクトリ構成を示す図である。ＢＤ規格およびＡＶＣＨＤ規格はいずれも、メディアにデータを記録する場合、例えば、動画像ストリームをＭＰＥＧ２−ＴＳストリームに符号化して記録する。
【００３３】
データ記録処理に際しては、図１に示すように、
インデックス（ｉｎｄｅｘ）、
ムービーオブジェクト（ＭｏｖｉｅＯｂｊｅｃｔ）、
プレイリスト（ＰｌａｙＬｉｓｔ）、
クリップ情報（ＣｌｉｐＩｎｆｏｒｍａｔｉｏｎ）、
クリップＡＶストリーム（ＣｌｉｐＡＶＳｔｒｅａｍ）
これらの各ファイルを生成して記録する。
クリップＡＶストリームファイルに、映像や音声からなる実データがＭＰＥＧ２−ＴＳストリームとして格納される。
【００３４】
図１に示すようにルート［Ｒｏｏｔ］ディレクトリの下に、ディレクトリ［ＢＤＭＶ］が置かれる。ディレクトリ［ＢＤＭＶ］の直下に、インデックスファイル［ｉｎｄｅｘ．ｂｄｍｖ］およびムービーオブジェクトファイル［ＭｏｖｉｅＯｂｊｅｃｔ．ｂｄｍｖ］が記録される。さらにＢＤＭＶディレクトリ［ＢＤＭＶ］の下位ディレクトリとして、プレイリストディレクトリ［ＰＬＡＹＬＩＳＴ］、クリップ情報ディレクトリ［ＣＬＩＰＩＮＦ］、ストリームディレクトリ［ＳＴＲＥＡＭ］が設定される。
【００３５】
プレイリストディレクトリ［ＰＬＡＹＬＩＳＴ］にプレイリストファイル［ｘｘｘｘｘ．ｍｐｌｓ］が設定され、クリップ情報ディレクトリ［ＣＬＩＰＩＮＦ］にクリップ情報ファイル［ｘｘｘｘｘ．ｃｌｐｉ］が設定され、ストリームディレクトリ［ＳＴＲＥＡＭ］にクリップＡＶストリームファイル［ｘｘｘｘｘ．ｍ２ｔｓ］が設定される。
【００３６】
インデックスファイル、ムービーオブジェクトファイル、プレイリストファイルはクリップＡＶストリームファイルに格納されたデータの再生に適用する管理情報ファイルである。これらの管理情報ファイルはデータベースファイル、またはデータベースとも呼ばれる。以下、各ファイルの詳細について説明する。
【００３７】
インデックスファイル［ｉｎｄｅｘ．ｂｄｍｖ］は、メディア全体の記録データについての管理情報ファイルである。例えば記録データの単位として設定されるタイトル毎にインデックス（タイトルとムービーオブジェクトとの対応関係情報など）を記録した管理情報ファイルである。なお、ＡＶＣＨＤフォーマットでは、本来ムービーオブジェクトファイルで管理すべきプレイリストの再生順をインデックスファイルのメタデータ内で管理している。情報記録媒体をプレーヤに装填した際にはまずインデックスファイルが読み込まれ、ユーザはインデックスファイルに記述されたタイトルを見て再生指定を行うことができる。
【００３８】
ムービーオブジェクトファイル［ＭｏｖｉｅＯｂｊｅｃｔ．ｂｄｍｖ］は、プレイリストの管理情報を格納したファイルである。ムービーオブジェクトに対する参照情報は、インデックスファイル内に記録されている。但し、ＡＶＣＨＤフォーマットでは、ムービーオブジェクトファイルを参照せずに、インデックスファイルのメタデータによってプレイリストとタイトルの関係を管理するようになっている。
【００３９】
プレイリストディレクトリ［ＰＬＡＹＬＩＳＴ］に記録されるプレイリストファイル［ｘｘｘｘｘ．ｍｐｌｓ］は、ユーザに見せるタイトルに対応して設けられ、少なくとも１以上のプレイアイテムで構成される再生リストである。各プレイアイテムは、クリップに対する再生開始点（ＩＮ点）と再生終了点（ＯＵＴ点）を持つ再生区間指定情報である。プレイリスト内の複数のプレイアイテムを時間軸上に並べることで、それぞれの再生区間の再生順序を指定することができる。
【００４０】
クリップ情報ディレクトリ［ＣＬＩＰＩＮＦ］に記録されるクリップ情報ファイル［ｘｘｘｘｘ．ｃｌｐｉ］は、ストリームディレクトリ［ＳＴＲＥＡＭ］に記録されるクリップＡＶストリームファイル［ｘｘｘｘｘ．ｍ２ｔｓ］に対応して設定される。クリップ情報ファイルは、実際のストリームを再生する上で必要となるストリームに関する情報が記載されたファイルである。
【００４１】
ストリームディレクトリ［ＳＴＲＥＡＭ］に記録されるクリップＡＶストリームファイル［ｘｘｘｘｘ．ｍ２ｔｓ］は、ＭＰＥＧ２−ＴＳ形式で記録されたストリームが格納されているファイルである。画像データはこのファイル内に格納される。
【００４２】
このように、ＢＤ規格、ＡＶＣＨＤ規格においては、図１に示すようにＢＤＭＶディレクトリにインデックスファイル、ムービーオブジェクトファイル、プレイリストファイル、クリップ情報ファイル、クリップＡＶストリームファイルの各ファイルが記録される。
【００４３】
なお、以下では、クリップＡＶストリームファイルなど、再生対象データを格納したファイルを総称してストリームファイルと簡略化して説明する。また、インデックスファイル、ムービーオブジェクトファイル、プレイリストファイル、これらのファイルを総称して管理情報、またはデータベースと呼ぶ。
【００４４】
［２．規格対応データと規格非対応データの記録、再生を可能とする記録データ管理構成例（第１実施例）］
図１を参照して説明したように、ＢＤ規格、ＡＶＣＨＤ規格に従ったデータ記録を行う場合、ＢＤＭＶディレクトリにインデックスファイル、ムービーオブジェクトファイル、プレイリストファイル、クリップ情報ファイル、クリップＡＶストリームファイルの各ファイルが記録される。
【００４５】
しかし、前述したように、ＢＤ規格やＡＶＣＨＤ規格では、超高精細画像データである４Ｋ×２Ｋ画像や、１０８０／６０ｐ、３Ｄ画像データを記録再生データとして許容していない。従って、記録データとして４Ｋ×２Ｋの超高精細画像や、１０８０／６０ｐ、３Ｄ画像データを生成しても、既存のＡＶＣＨＤ規格やＢＤ規格を適用したデータ記録やデータ再生処理に際してエラーが発生することが予測される。
【００４６】
このような問題を解決する第１実施例について、図２以下を参照して説明する。図２は、本実施例に係る情報処理装置に装着されたメディアにおける記録データの管理構成、すなわちディレクトリ構成を示す図である。本発明の一実施例に従った情報処理装置は、図２に示すようなディレクトリ構成に従って、メディアに各ファイルを記録する。
【００４７】
図２に示すディレクトリは、ＢＤ規格、ＡＶＣＨＤ規格において記録再生データとして許容された規格対応データと、ＢＤ規格、ＡＶＣＨＤ規格において記録再生データとして許容されない規格非対応データのいずれも設定可能なディレクトリである。
【００４８】
図２に示すディレクトリの基本構成は、図１を参照して説明したと同様、ＢＤＭＶディレクトリ１１０の下位に、
インテックスファイル［Ｉｎｄｅｘ．ｂｄｍｖ］、
ムービーオブジエクトファイル［ＭｏｖｉｅＯｂｊｅｃｔ．ｂｄｍｖ］、
プレイリストディレクトリ［ＰＬＡＹＬＩＳＴ］、
クリップ情報ディレクトリ［ＣＬＩＰＩＮＦ］、
ストリームディレクトリ［ＳＴＲＥＡＭ］
これらを設定している。
【００４９】
プレイリストディレクトリ［ＰＬＡＹＬＩＳＴ］１４０にはプレイレストファイル［ｘｘｘｘｘ．ｍｐｌｓ］が設定され、クリップ情報ディレクトリ［ＣＬＩＰＩＮＦ］１５０にはクリップ情報ファイル［ｘｘｘｘｘ．ｃｌｐｉ］が設定され、ストリームディレクトリ［ＳＴＲＥＡＭ］１６０にはストリームファィル［ｘｘｘｘｘ．ｍ２ｔｓ］が設定される。
【００５０】
この基本構成は、従来のＢＤ規格やＡＶＣＨＤ規格と同じ構造である。図２に示すディレクトリ構成では、さらに、ＢＤＭＶディレクトリ１１０の下位に、ファイルリスト［Ｆｉｌｅｌｉｓｔ．ｔｘｔ］１３０を設定している。
【００５１】
このファイルリスト１３０は、例えばテキストファイルである。このファイルリスト１３０には、ＢＤ規格やＡＶＣＨＤ規格において許容されていないデータ、例えば、４Ｋ×２Ｋデータ、１０８０／６０ｐ、あるいは、三次元立体画像である３Ｄ画像用データなどから構成されるストリームファイルに対応する管理情報（データベース）として設定される。
【００５２】
図２に示すインデックスファイル［Ｉｎｄｅｘ．ｂｄｍｖ］と、ムービーオブジエクトファイル［ＭｏｖｉｅＯｂｊｅｃｔ．ｂｄｍｖ］は、ＢＤ規格やＡＶＣＨＤ規格において記録再生データとして許容された規格対応データを格納したストリームファイル専用の既存管理情報（既存データベース）１２０である。
【００５３】
一方、ファイルリスト［ｆｉｌｅｌｉｓｔ．ｔｘｔ］１３０は、ＢＤ規格やＡＶＣＨＤ規格において記録再生データとして許容されていない規格非対応データを格納したストリームファイル用の管理情報（データベース）である。以下では、これを拡張管理情報（拡張データベース）と呼ぶ。
【００５４】
なお、図２に示すディレクトリにおいて、ストリームファイルディレクトリ［ＳＴＲＥＡＭ］に設定された３つのファイル中、上から２つのファイル、すなわち、
［０１０００．ｍ２ｔｓ］、
［０１００１．ｍ２ｔｓ］、
これらのストリームファイルは、既存のＢＤ規格やＡＶＣＨＤ規格に従った既存規格対応のストリームファイルである。
【００５５】
一方、最下段に示すファイル、すなわち、
ストリームファイル［１０００１．ｍ２ｔｓ］１６１、
このストリームファイルは、ＢＤ規格やＡＶＣＨＤ規格において許容されていない例えば４Ｋ×２Ｋのデータからなる規格非対応のストリームファイル１６１である。
【００５６】
また、クリップ情報ディレクトリ［ＣＬＩＰＩＮＦ］に設定された３つのクリップ情報中、上から２つのファイル、すなわち、
［０１０００．ｃｌｐｉ］、
［０１００１．ｃｌｐｉ］
これらのクリップ情報ファイルは、既存のＢＤ規格やＡＶＣＨＤ規格に従った既存規格対応のストリームファイルである［０１０００．ｍ２ｔｓ］と［０１００１．ｍ２ｔｓ］に対応するクリップ情報ファイルである。
【００５７】
一方、最下段に示すクリップ情報ファイル、すなわち、
クリップ情報ファイル［１０００１．ｃｌｐｉ］１５１、
このクリップ情報ファイルは、ＢＤ規格やＡＶＣＨＤ規格において許容されていない例えば４Ｋ×２Ｋのデータからなるストリームファイル［１０００１．ｍ２ｔｓ］１６１に対応するクリップ情報ファイル１５１である。
【００５８】
既存管理情報（既存データベース）１２０を構成するインデックスファイル［Ｉｎｄｅｘ．ｂｄｍｖ］と、ムービーオブジェクトファイル［ＭｏｖｉｅＯｂｊｅｃｔ．ｂｄｍｖ］は、ＢＤ規格やＡＶＣＨＤ規格において記録再生データとして許容された規格対応データを格納したストリームファイル専用の既存管理情報（既存データベース）１２０である。例えばインデックスファイル［Ｉｎｄｅｘ．ｂｄｍｖ］に設定されたユーザ指定可能なタイトルによって、プレイリストディレクトリ１４０のプレイリストファイル［ｘｘｘｘｘ．ｍｐｌｓ］が選択され、選択されたプレイリストファイルに記録されたクリップ情報ファイル指定情報に従って、クリップファイル［ｘｘｘｘｘ．ｃｌｐｉ］が選択される。さらに、選択されたクリップファイル［ｘｘｘｘｘ．ｃｌｐｉ］に応じて、ストリームファイル［ｘｘｘｘｘ．ｍ２ｔｓ］が選択されて、ストリームファイルに格納された画像データなどが再生される。
【００５９】
この処理は、既存のＢＤ規格やＡＶＣＨＤ規格に従った処理として実行されることになる。すなわち既存の記録再生装置において実行可能な処理である。
【００６０】
なお、図２に示すプレイリストファイルと、クリップ情報ファイルを結ぶ点線矢印は、各プレイリストファイルと、そのプレイリストファイルに記録された参照先となるクリップ情報ファイルとの対応を示す矢印である。プレイリストファイルには、例えばクリップ情報ファイルの識別子が記録され、この識別子によって特定のクリップ情報ファイルが選択され、選択されたクリップ情報ファイルに対応して設定されたストリームファイルの再生が可能となる。
【００６１】
図２に示す既存管理情報（既存データベース）１２０を構成するインデックスファイル［Ｉｎｄｅｘ．ｂｄｍｖ］と、ムービーオブジエクトファイル［ＭｏｖｉｅＯｂｊｅｃｔ．ｂｄｍｖ］には、ＢＤ規格やＡＶＣＨＤ規格において記録再生データとして許容されていない規格非対応データに関する管理情報は登録されない。
【００６２】
ファイルリスト［ｆｉｌｅｌｉｓｔ．ｔｘｔ］１３０にのみ、ＢＤ規格やＡＶＣＨＤ規格において記録再生データとして許容されない規格非対応データの管理情報が記録される。規格非対応データ、例えば図２に示すストリームファィル１０００１．ｍ２ｔｓ］１６１や、ビデオディレクトリ１７０に設定されたＭＰＥＧ−４データであるストリームファイル［１００．ＭＰ４］の再生を行う場合は、ファイルリスト１３０を利用した再生が行われる。
【００６３】
ファイルリスト１３０の構成例を図３に示す。ファイルリスト１３０には、図３に示すように、参照先となるクリップ情報ファイル、あるいは再生データを格納したストリームファイルやデータファイルの識別情報としてのＵＲＩ（Ｕｎｉｆｏｒｍ  Ｒｅｓｏｕｒｃｅ  Ｉｄｅｎｔｉｆｉｅｒ）を記録したリストである。
【００６４】
ＵＲＩは、Ｗ３Ｃにより規格化（ＲＦＣ３９８６）されたリソース識別情報であり、ＵＲＩによって参照先となるクリップ情報ファイルまたはストリームファイルなどを特定することができる。
【００６５】
具体的には、図３に示すファイルリスト１３０の最初のエントリ、
ＵＲＩ＝ｆｉｌｅ：／ＢＤＭＶ／ＣＬＰＩＮＦ／１０００１．ｃｌｐｉ
このＵＲＩは、図２に示すファイルリスト１３０からの矢印によって示されるクリップ情報ファイル［１０００１．ｃｌｐｉ］の識別情報としてのＵＲＩである。
【００６６】
また、図３に示すファイルリスト１３０の２番目のエントリ、
ＵＲＩ＝ｆｉｌｅ：ｈｏｓｔＡ／ＶＩＤＥＯ／１００．ｍｐ４
このＵＲＩは、図２に示すファイルリスト１３０からの矢印によって示されるビデオディレクトリ［ＶＩＤＥＯ］１７０に設定されるＭＰＥＧ４データ［１００．ＭＰ４］の識別情報としてのＵＲＩである。
【００６７】
なお、ファイルリストにＵＲＩを設定することで、例えばネットワークを介してアクセス可能な他の装置に格納されたデータファイルを参照先ファイルとして設定することも可能となる。
【００６８】
図３に示すファイルリスト１３０を利用したデータ再生を行う場合、再生順は、ファイルリストに設定されたＵＲＩの順番に設定される。ただし、再生順、ユーザが自由に設定する処理やランダム設定なども可能である。再生装置がファイルリストを読み込んでユーザに処理を決定させるアプリケーションを適用することで様々な設定が可能となる。
【００６９】
このように、図２に示すファイルリスト１３０は、規格非対応データに対応する管理情報（データベース）とプレイリストの役割を果たす。ファイルリスト１３０に設定されたＵＲＩによって、クリップ情報ファイル、または再生対象データを格納したストリームファイル等のデータファイルが選択され、再生処理が可能となる。
【００７０】
図２に示すディレクトリ構成では、
ＢＤ規格やＡＶＣＨＤ規格に対応する規格対応データに対応する管理情報は、既存管理情報（既存データベース）１２０とプレイリストに記録される。
ＢＤ規格やＡＶＣＨＤ規格に対応しない規格非対応データに対応する管理情報は、ファイルリスト１３０（拡張管理情報（拡張データベース））に記録されることになる。
【００７１】
このような設定とすることで、少なくとも既存のＢＤ規格やＡＶＣＨＤ規格に従ったデータ再生処理を行う装置は、既存規格対応のストリームファイル［０１０００．ｍ２ｔｓ］と［０１００１．ｍ２ｔｓ］について、既存管理情報（既存データベース）１２０を利用して、既存のＢＤ規格、ＡＶＣＨＤ規格に従った処理によりデータ記録再生を行うことができる。
【００７２】
ＢＤ規格やＡＶＣＨＤ規格に対応しないデータを記録可能とした新型の装置では、データ記録を実行する場合に、記録データが、ＢＤ規格やＡＶＣＨＤ規格に対応する規格対応データであるか規格非対応データであるかを判別する。規格対応データである場合は、既存管理情報（既存データベース）１２０を利用して、既存のＢＤ規格、ＡＶＣＨＤ規格に従った処理によりデータ記録を行う。一方、規格非対応データである場合は、既存管理情報（既存データベース）１２０を利用せず、ファイルリスト１３０に管理情報としてのＵＲＩを登録して、記録データを格納したストリームファイル、クリップ情報ファイルなどを生成して記録する。
【００７３】
なお、ＢＤＭＶディレクトリ１１０の下のストリームディレクトリにはＭＰＥＧ２−ＴＳデータのみが記録され、その他のＭＰＥＧ４データなどは、ビデオディレクトリ１７０に設定される。
【００７４】
なお、図３に示すファイルリストの最初のエントリは、図２に示すクリップ情報ファイル［１０００１．ｃｌｐｉ］１５１に対応するＵＲＩであり、ファイルリストを利用した再生を行う場合、このクリップ情報ファイル１５１を取得して、このクリップ情報ファイル１５１によって特定されるストリームファイル［１０００１．ｍ２ｔｓ］が読み出されて再生処理が行われる。
【００７５】
このようにファイルリストにクリップ情報ファイルのＵＲＩが設定されている場合は、ＵＲＩによって取得されるクリップ情報ファイルによって、そのクリップ情報ファイルと対応するストリームファイルが読み出されて再生が行われる。
【００７６】
図３に示すファイルリストの２番目のエントリは、ビデオ［ＶＩＤＥＯ］ディレクトリ１３０に設定されたＭＰＥＧ４ファイル［１００．ＭＰ４］のＵＲＩであり、この場合は、クリップ情報ファイルを用いることなくＭＰＥＧ４ファイル［１００．ＭＰ４］の再生処理が行われる。
【００７７】
ファイルリスト１３０を認識し理解できるのは、ファイルリスト１３０を解釈するプログラムが搭載された新型の情報記録装置または情報再生装置である。旧型の装置、すなわち、既存のＢＤ規格やＡＶＣＨＤ規格のみに従ったデータ記録や再生を行う装置は、ファイルリスト１３０を理解することはできない。
【００７８】
従って、図２に示すようにファイルリスト１３０が設定されていても、ファイルリスト１３０は存在しないものとして処理を行うことになる。
【００７９】
すなわち、旧型装置は、ＢＤＭＶディレクトリ１１０を理解し、ＢＤＭＶディレクトリ１１０に設定された既存管理情報（既存データベース）１２０を利用して、既存のＢＤ規格またはＡＶＣＨＤ規格対応のストリームファイルのみを再生することができる。
【００８０】
ファイルリスト１３０を認識し理解するプログラムが搭載された新型の情報記録装置または情報再生装置は、図２に示すディレクトリ全体を認識し理解することができる。例えばデータ再生に際しては、ファイルリスト１３０に設定されたＵＲＩを利用する処理も可能であり、ＢＤＭＶディレクトリ１１０に設定された既存管理情報（既存データベース）１２０を利用してＢＤ規格やＡＶＣＨＤ規格に対応する規格対応データを再生することも可能である。
【００８１】
ファイルリスト（拡張管理情報（拡張データベース））１３０を利用することで、既存のＢＤ規格またはＡＶＣＨＤ規格に対応しない既存規格非対応データの再生が可能であり、さらに、既存のＢＤ規格またはＡＶＣＨＤ規格に対応する既存規格対応のストリームファイルの再生も可能となる。
【００８２】
［３．メディアからのデータ再生処理およびメディアに対するデータ記録処理について］
次に、図２を参照して説明したデータ管理構造、すなわちディレクトリ構成に従ったデータ記録のなされたディスクなどのメディアからのデータ再生処理、およびメディアに対するデータ記録処理シーケンスについて説明する。
【００８３】
なお、記録再生装置が旧型の装置、すなわち、図２に示すファイルリスト（拡張管理情報（拡張データベース））１３０を解釈できない装置である場合は、新たなデータ記録を行う場合には、既存管理情報（既存データベース）１２０に対する処理のみを行うことになる。従って、最初にメディアに対するデータ記録を行った機器が旧型の装置である場合は、図２に示すファイルリスト１３０は生成されない。
【００８４】
従って、ファイルリスト１３０を解釈できない旧型の装置による処理と、ファイルリスト１３０を解釈できる新型の装置による処理とは異なる処理となる。また、記録メディアに既に図２に示すファイルリスト１３０が設定されている場合とされていない場合があり、これらのメディア状態に応じて装置が実行する処理が異なることになる。
【００８５】
図４に、装置およびメディア状態に応じたデータ再生処理の処理態様をまとめた表を示す。図４に示すように、メディアに記録されたデータの再生処理は、以下のような処理態様となる。
【００８６】
（１ａ）ファイルリスト（拡張管理情報（拡張データベース））を解釈できない旧型装置が、既存データベースのみが設定されたメディアからデータ再生を行なう場合
（１ｂ）ファイルリスト（拡張管理情報（拡張データベース））を解釈できない旧型装置が、既存データベースとファイルリストが設定されたメディアからデータ再生を行なう場合
これらの場合は、旧型装置は、ＢＤＭＶディレクトリの既存データベースを利用した再生処理しか実行できない。旧型装置は、メディアに設定されたＢＤＭＶディレクトリの既存データベース、すなわち、インデックスファイル、ムービーオブジェクトファイル、プレイリストを利用した再生処理を行う。
【００８７】
旧型装置は、既存データベース内のプレイリストに記録された情報を利用して、同じＢＤＭＶディレクトリのクリップ情報ファイルとストリームファイルを読み出して再生処理を行う。
【００８８】
（２ａ）ファイルリスト（拡張管理情報（拡張データベース））を解釈できる新型装置が、既存データベースのみが設定されたメディアからデータ再生を行なう場合、
（２ｂ）ファイルリスト（拡張管理情報（拡張データベース））を解釈できる新型装置が、既存データベースとファイルリスト（拡張ＤＢ）が設定されたメディアからデータ再生を行なう場合であり、再生対象データが既存データベースを利用して再生可能なデータである場合（既存規格（ＢＤ規格／ＡＶＣＨＤ規格）対応のストリームファイルを再生する場合）、
これらの場合は、新型装置は、ＢＤＭＶディレクトリの既存データベースを利用して再生処理を実行する。すなわち、ファイルリスト（拡張ＤＢ）を利用する必要はない。
【００８９】
（２ｃ）ファイルリスト（拡張管理情報（拡張データベース））を解釈できる新型装置が、既存データベースとファイルリストが設定されたメディアからデータ再生を行なう場合であり、再生対象データが既存データベースを利用して再生可能なデータのみでない場合（既存規格（ＢＤ規格／ＡＶＣＨＤ規格）非対応のストリームファイルを再生する場合）、
この場合は、新型装置は、ファイルリスト（拡張ＤＢ）と既存データベースの両データベースを利用して再生処理を実行する。
【００９０】
なお、前述の（２ｂ）の処理は、例外的な処理であり、既存データベースとファイルリスト（拡張ＤＢ）が設定されたメディアからデータ再生を行なう場合は、基本的に上記（２ｃ）の処理が行われる。ただし新型装置を持つユーザが、既存データベース＋ファイルリストのメディアが旧型装置でどのように再生されるかテストする目的、あるいはユーザが旧型装置での見え方を特に希望する場合などに例外的な動作として（２ｂ）が実行される場合がある。
【００９１】
図５に示すフローチャートを参照してメディアの記録データの再生処理を行う場合の処理シーケンスについて説明する。このフローに示す処理は、記録再生装置のデータ処理部において実行される。なお、このフローチャートは新型装置、旧型装置のいずれの処理も含むフローチャートとして示している。
【００９２】
ステップＳ１０１において、記録再生装置のデータ処理部は、装置に装着したメディアの記録情報を読み取り、ファイルリスト（拡張管理情報（拡張データベース））が認識できたか否かを判定する。再生装置が旧型装置の場合は、ファイルリスト（拡張ＤＢ）の認識はできないので、このステップＳ１０１の判定は、すべてＮｏとなる。また、再生装置が新型装置であっても、メディアにファィルリストが生成されていない場合は、ステップＳ１０１の判定はＮｏとなる。
【００９３】
ステップＳ１０１の判定がＮｏの場合、ステップＳ１０３に進み、既存データベースを利用した再生処理を実行する。すなわち、既存データベースのインデックスファイル、ムービーオブジェクトファイル、さらにプレイリストを利用して、インデックスファイルに設定されたタイトルに対応するプレイリストに記録された情報を利用して、ＢＤＭＶディレクトリのクリップ情報ファイルとストリームファイルを読み出して再生処理を行う。
【００９４】
再生装置が新型装置であり、メディアにファイルリスト（拡張ＤＢ）が生成されている場合は、ステップＳ１０１の判定はＹｅｓとなる。この場合は、ステップＳ１０２以下の処理を実行する。すなわち、ステップＳ１０２以下の処理は、ファイルリスト（拡張ＤＢ）を理解できる新型装置においてのみ実行される処理である。
【００９５】
ステップＳ１０２において、データ処理部は、再生処理に利用するデータベースを選択する。この選択処理において、ファイルリスト（拡張ＤＢ）を理解できる新型装置は、まず、ファイルリスト（拡張ＤＢ）を選択する。なお、再生処理に利用するデータベースの選択は、ユーザが選択する設定としてもよい。あるいは、ユーザの指定したタイトルに応じて自動的に選択する設定も可能である。利用データベースを既存データベースとした場合は、ステップＳ１０３に進み、既存データベースを利用した再生処理を実行する。
【００９６】
利用データベースがファイルリスト（拡張データベース）である場合は、ステップＳ１０４に進む。ステップＳ１０４では、既存データベースとファイルリスト（拡張データベース）の両データベースを読み込み、両ＤＢの登録情報に基づいて再生順を決定して、既存規格対応データ、または非対応データを再生する。なお、再生順の決定は任意の処理であり、予めデフォルトで設定された再生順を利用する構成としてもよい。
【００９７】
なお、この再生処理において適用するファイルリスト（拡張データベース）には、図３を参照して説明したように、クリップ情報ファイルまたはストリームファイルの識別情報であるＵＲＩが記録されている。情報処理装置（再生装置）のデータ処理部は、ＵＲＩによって特定されるクリップ情報ファイルまたはストリームファイルを取得して再生処理を実行する。
【００９８】
このように、本発明の一実施例に係る情報処理装置は、メディアからのデータ再生処理を行う場合、データ処理部が以下のような処理を実行する。
再生対象データが予め規定された所定のデータ記録再生フォーマットに対応した規格対応データである場合は、規格対応データ専用の既存管理情報（既存データベース）を適用して再生対象データを格納したデータファイルを取得して再生処理を実行する。
再生対象データが予め規定された所定のデータ記録再生フォーマットに対応しない規格非対応データである場合は、ファイルリスト（拡張管理情報（拡張データベース））を適用して再生対象データを格納したデータファイルを取得して再生処理を実行する。
【００９９】
次に、メディアに対するデータ記録処理について説明する。
データ記録処理においても、データ再生処理と同様、記録処理を実行する装置の種類とメディアのデータ記録状態に応じて異なる処理を行うことになる。図６に、装置およびメディア状態に応じたデータ記録処理の処理態様をまとめた表を示す。図６に示すように、メディアに対するデータ記録処理は、以下のような処理態様となる。
【０１００】
（１ａ）ファイルリスト（拡張管理情報（拡張データベース））を解釈できない旧型装置が、既存データベースのみが設定されたメディアにデータ記録を行なう場合
（１ｂ）ファイルリスト（拡張管理情報（拡張データベース））を解釈できない旧型装置が、既存データベースとファイルリスト（拡張ＤＢ）が設定されたメディアにデータ記録を行なう場合
これらの場合は、旧型装置は、ＢＤＭＶディレクトリの既存データベースを利用した記録処理を実行する。旧型装置は、記録データに応じたストリームファイルとクリップ情報ファイルを生成し、記録データに応じて既存データベースの更新、具体的には、インデックスファイル、ムービーオブジェクトファイルの更新と、プレイリストの生成を行う。
【０１０１】
（２ａ）ファイルリスト（拡張管理情報（拡張データベース））を解釈できる新型装置が、既存データベースのみが設定されたメディアにデータ記録を行なう場合であり、記録データが規格（ＢＤ規格／ＡＶＣＨＤ規格）対応データである場合
この場合は、新型装置は、ＢＤＭＶディレクトリの既存データベースを利用してデータ記録処理を実行する。すなわち、拡張データベースを新たに生成する必要はない。
【０１０２】
（２ｂ）ファイルリスト（拡張管理情報（拡張データベース））を解釈できる新型装置が、既存データベースのみが設定されたメディアにデータ記録を行なう場合であり、記録データが規格（ＢＤ規格／ＡＶＣＨＤ規格）非対応データである場合
この場合は、新型装置は、既存データベースを利用せず、ファイルリスト（拡張データベース）を作成し、作成したファィルリスト（拡張ＤＢ）に記録データの管理情報を登録する。
具体的には、記録データに応じたストリームファイルやクリップ情報ファイルを生成し、これらの記録データに対する管理情報としてのＵＲＩをファイルリスト（拡張データベース）に登録する。
【０１０３】
（２ｃ）ファイルリスト（拡張管理情報（拡張データベース））を解釈できる新型装置が、既存データベースとファイルリスト（拡張ＤＢ）が設定されたメディアにデータ記録を行なう場合であり、記録データが規格（ＢＤ規格／ＡＶＣＨＤ規格）対応データである場合
この場合は、新型装置は、既存データベースを利用したデータ記録処理を実行する。具体的には、記録データに応じたストリームファイルとクリップ情報ファイルを生成し、これらの記録データに対する管理情報を既存データベースに登録する。
【０１０４】
（２ｄ）ファイルリスト（拡張管理情報（拡張データベース））を解釈できる新型装置が、既存データベースとファィルリスト（拡張ＤＢ）が設定されたメディアにデータ記録を行なう場合であり、記録データが規格（ＢＤ規格／ＡＶＣＨＤ規格）非対応データである場合
この場合は、新型装置は、ファィルリスト（拡張ＤＢ）を利用したデータ記録処理を実行する。具体的には、記録データに応じたストリームファイルやクリップ情報ファイルを生成し、これらの記録データに対する管理情報としてのＵＲＩをファイルリスト（拡張ＤＢ）に登録する。
【０１０５】
図７に示すフローチャートを参照してメディアに対するデータ記録処理を行う場合の処理シーケンスについて説明する。このフローに示す処理は、記録再生装置のデータ処理部において実行される。なお、このフローチャートは新型装置、旧型装置のいずれの処理も含むフローチャートとして示している。
【０１０６】
ステップＳ２０１において、記録再生装置のデータ処理部は、まず、記録データが規格（ＢＤ規格／ＡＶＣＨＤ規格）対応データであるか、規格非対応データであるかを判別する。記録データが規格（ＢＤ規格／ＡＶＣＨＤ規格）対応データである場合は既存データベース、非対応データである場合はファイルリスト（拡張データベース）を利用データベースとして選択する。なお、装置がファイルリスト（拡張データベース）を理解できない旧型装置である場合は、規格対応データの記録処理のみ処理可能である。また装置がファイルリスト（拡張データベース）を理解できる新型装置であり、記録データが規格（ＢＤ規格／ＡＶＣＨＤ規格）対応データである場合は既存データベースを選択し、非対応データである場合はファイルリスト（拡張データベース）を利用データベースとして選択することになる。
【０１０７】
記録データが規格（ＢＤ規格／ＡＶＣＨＤ規格）対応データである場合は、既存データベースの利用が選択され、ステップＳ２０２に進む。ステップＳ２０２では、既存データベースを利用したデータ記録処理が行われる。すなわち、記録データに応じたストリームファイルとクリップ情報ファイルを生成し、記録データに応じて既存データベースの更新、具体的には、インデックスファイル、ムービーオブジェクトファイルの更新と、プレイリストの生成を行う。
【０１０８】
次に、ステップＳ２０１において、記録データが規格（ＢＤ規格／ＡＶＣＨＤ規格）非対応データであると判定した場合について説明する。この場合は、利用データベースをファイルリスト（拡張データベース）とした処理が行われることになり、ステップＳ２０３に進む。なお、ステップＳ２０３以降の処理は、ファイルリスト（拡張データベース）を認識可能な新型装置のみが実行する処理である。
【０１０９】
ステップＳ２０３では、メディアの記録情報からファイルリスト（拡張データベース）が認識できたか否かを判定する。記録装置が新型装置であっても、メディアにファイルリスト（拡張データベース）が生成されていない場合は、ステップＳ２０３の判定はＮｏとなる。ステップＳ２０３の判定がＮｏの場合、ステップＳ２０４においてファイルリスト（拡張データベース）の生成処理を行う。
【０１１０】
ステップＳ２０３において、メディアの記録情報からファイルリスト（拡張データベース）が認識できた場合、およびステップＳ２０４においてファイルリスト（拡張データベース）の生成処理が行われた場合、次に、ステップＳ２０５に進む。
【０１１１】
ステップＳ２０５では、ファイルリスト（拡張データベース）を利用したデータ記録処理が行われる。すなわち、記録データに応じたストリームファイルやクリップ情報ファイルを生成し、記録データに応じてファイルリスト（拡張データベース）の更新、具体的には、図３を参照して説明したように参照ファイルに対応するＵＲＩ（Ｕｎｉｆｏｒｍ  Ｒｅｓｏｕｒｃｅ  Ｉｄｅｎｔｉｆｉｅｒ）をファイルリストに登録する処理を行う。
【０１１２】
このように、本発明の一実施例に係る情報処理装置は、メディアに対するデータ記録を行う場合、データ処理部において、再生用データを含むストリームファイル等のデータファイルとクリップ情報ファイルを生成し、データファイルの管理情報を記録する。
【０１１３】
記録データが、予め規定された所定のデータ記録再生フォーマットに対応した規格対応データである場合は、規格対応データ専用の既存管理情報（既存データベース）にストリームファイル等の管理情報を記録する。また、記録データが予め規定された所定のデータ記録再生フォーマットに対応しない規格非対応データである場合は、ファイルリスト（拡張データベース）に、クリップ情報ファイルやストリームファイルのＵＲＩを記録する処理を行う。
【０１１４】
［４．規格対応データと規格非対応データの記録、再生を可能とする記録データ管理構成例（第２実施例）］
上述した第１実施例では、ファイルリスト（拡張データベース）に対する登録情報を、ＢＤ規格やＡＶＣＨＤ規格において記録再生対象データとして許容されない規格非対応データのみに関するデータファイルやクリップ情報ファイルのＵＲＩとしていた。
【０１１５】
ファイルリストには、このような規格非対応データに関する管理情報のみではなく、規格対応データに対応する管理情報を登録する構成としてもよい。すなわち、ファイルリストにすべてのメディア記録データを再生するためのＵＲＩを設定する構成としてもよい。以下では、このような設定としたファイルリストを利用した実施例について第２実施例として説明する。
【０１１６】
本実施例におけるディレクトリ構成について図８を参照して説明する。図８に示すデスィレクトリは、図２を参照して説明したと同様の構成であるが、ファイルリスト３３０に登録されるＵＲＩが異なる。本例では、ファィルリストに登録されるＵＲＩは、規格（ＢＤ規格／ＡＶＣＨＤ規格）非対応のデータを再生するためのＵＲＩ情報のみではなく、既存規格対応のデータの再生に適用するプレイリストファイルのＵＲＩも含めた設定となっている。図８に示す矢印はファイルリストの登録ＵＲＩによって参照されるファイルを示している。
【０１１７】
本実施例におけるファイルリスト３３０の例を図９に示す。本実施例におけるファイルリスト３３０には、図９に示すように、第３番目のエントリと第４番目のエントリは、図３を参照して説明したと同様、規格（ＢＤ規格／ＡＶＣＨＤ規格）非対応データの再生に適用するためのクリップ情報ファイルとデータファイルのＵＲＩである。
【０１１８】
しかし、第１番目のエントリと第２番目のエントリは、規格（ＢＤ規格／ＡＶＣＨＤ規格）対応データの再生に適用するためのプレイリストファイのＵＲＩである。これらは、図８に示すプレイリストディレクトリ１４０に設定されたプレイリストファイル［０００００．ｍｐｌｓ］とプレイリストファイル［００００１．ｍｐｌｓ］のＵＲＩである。
【０１１９】
プレイリストファイル［０００００．ｍｐｌｓ］とプレイリストファイル［００００１．ｍｐｌｓ］は、規格対応データの再生処理に適用するプレイリストである。従ってファイルリスト３３０に登録されたＵＲＩを用いることで、規格対応／非対応に拘らず、すべてのメディア記録データの再生が可能となる。
【０１２０】
しかし、このファイルリストに対するＵＲＩ登録を実行できるのはファイルリストを解釈できる新型の装置のみである。ファイルリストを解釈できない旧型の装置は、データ記録を実行した場合、その管理情報を既存データベースにのみ登録し、ファイルリストには登録しない。
【０１２１】
従って、旧型装置によってデータ記録が行われた場合、ファイルリストにＵＲＩが登録されていない再生可能なデータがメデイアに存在することになる。このような事態が発生すると、ファイルリストのみを利用した再生処理を行っても再生できないデータが発生する。このような事態を避けるため、ファイルリストを解釈できる新型装置がデータ記録や再生処理を行う場合、既存管理情報（既存データベース）の登録情報と、ファイルリスト（拡張データベース）の登録情報の比較処理を行う。
【０１２２】
既存管理情報（既存データベース）にのみ登録され、ファイルリスト（拡張データベース）に登録されていないデータがある場合、その未登録データに対応するＵＲＩをファイルリスト（拡張データベース）に登録する処理を行う。すなわちデータベースの整合性を保持するためのファイルリスト更新処理を実行する。
【０１２３】
本実施例に係るデータ再生およびデータ記録シーケンスについて、図１０、図１１のフローチャートを参照して説明する。
【０１２４】
まず、図１０に示すフローチャートを参照して本実施例におけるデータ記録処理シーケンスについて説明する。このフローに示す処理は、記録再生装置のデータ処理部において実行される。なお、このフローチャートは新型装置、旧型装置のいずれの処理も含むフローチャートとして示している。
【０１２５】
ステップＳ３０１において、記録再生装置のデータ処理部は、装置に装着したメディアの記録情報を読み取り、ファイルリスト（拡張管理情報（拡張データベース））が認識できたか否かを判定する。再生装置が旧型装置の場合は、ファイルリスト（拡張ＤＢ）の認識はできないので、このステップＳ３０１の判定は、すべてＮｏとなる。また、再生装置が新型装置であっても、メディアにファィルリストが生成されていない場合は、ステップＳ３０１の判定はＮｏとなる。
【０１２６】
ステップＳ３０１の判定がＮｏの場合、ステップＳ３０３に進み、既存データベースを利用した再生処理を実行する。すなわち、既存データベースのインデックスファイル、ムービーオブジェクトファイル、さらにプレイリストを利用して、インデックスファイルに設定されたタイトルに対応するプレイリストに記録された情報を利用して、ＢＤＭＶディレクトリのクリップ情報ファイルとストリームファイルを読み出して再生処理を行う。
【０１２７】
再生装置が新型装置であり、メディアにファイルリスト（拡張ＤＢ）が生成されている場合は、ステップＳ３０１の判定はＹｅｓとなる。この場合は、ステップＳ３０２以下の処理を実行する。すなわち、ステップＳ３０２以下の処理は、ファイルリスト（拡張ＤＢ）を理解できる新型装置においてのみ実行される処理である。
【０１２８】
ステップＳ３０２において、データ処理部は、再生処理に利用するデータベースを選択する。この選択処理において、ファイルリスト（拡張ＤＢ）を理解できる新型装置は、まず、ファイルリスト（拡張ＤＢ）を選択する。すなわち、既存データベースの登録情報のすべてをファイルリスト（拡張ＤＢ）に含める処理を行うことを前提としてファイルリスト（拡張ＤＢ）を選択する。なお、再生処理に利用するデータベースの選択は、ユーザが選択する設定としてもよい。あるいは、ユーザの指定したタイトルに応じて自動的に選択する設定も可能である。利用データベースを既存データベースとした場合は、ステップＳ３０３に進み、既存データベースを利用した再生処理を実行する。
【０１２９】
利用データベースが拡張データベースである場合は、ステップＳ３０４に進む。ステップＳ３０４では、既存データベースの登録情報のすべてが、ファイルリスト（拡張データベース）に含まれているか否かのデータベース整合性検証処理を実行する。
【０１３０】
ステップＳ３０５において、既存データベースの登録情報のすべてが、拡張データベースに含まれている（整合性あり）と判定されなかった場合は、ステップＳ３０６に進み、既存データベースの登録情報のすべてを、ファイルリスト（拡張データベース）に含める拡張データベース更新処理（データベース整合性調整処理）を実行する。
【０１３１】
例えば旧型の装置においてデータ記録がなされた場合、その記録データに対応する管理情報は既存データベースのみにしか記録されない。この場合、ファイルリスト（拡張データベース）から、既存規格対応のストリームファイルの再生ができなくなる場合がある。このような事態を避けるため、新型の装置において拡張データベースを利用した再生処理を行う際に、ファイルリスト（拡張データベース）の更新を実行し、既存データベースに記録された情報をファイルリスト（拡張データベース）にも記録するデータベース整合性調整を行う。なお、この処理において、ファイルリスト（拡張デーベース）には、既存データベースに登録されたタイトル対応のプレイリストのＵＲＩが記録されることになる。
また、新型の装置が再生専用の装置である場合、新型の装置はデータベース整合性調整処理後の更新したファイルリストを、装置内のメモリに一時的に記録する。そしてメディア上のファイルリストではなく、装置内のメモリに存在する更新されたファイルリストを用いて再生を開始する。
【０１３２】
ステップＳ３０５においてデータベースの整合性があると判定された場合、またはステップＳ３０６において、整合性調整処理が実行された後、ステップＳ３０７に進み、ファイルリスト（拡張データベース）を利用した再生処理を行う。この時点で、ファイルリスト（拡張データベース）には、少なくとも全てのメディア記録ファイルを再生するためのＵＲＩが記録されており、全てのデータの再生が可能となる。
【０１３３】
なお、この再生処理において適用するファイルリスト（拡張データベース）には、図９を参照して説明したように、規格対応データについてはプレイリストファイルのＵＲＩ、規格非対応データについては、クリップ情報ファイルまたはストリームファイルの識別情報であるＵＲＩが記録されている。情報処理装置（再生装置）のデータ処理部は、ＵＲＩによって特定されるプレイリストファイル、またはクリップ情報ファイルまたはストリームファイルを取得して再生処理を実行する。
【０１３４】
この実施例では、ファイルリスト（拡張データベース）を、メディアに記録された再生用データを格納したデータファイルの全てをアクセス可能な情報を含む管理情報として設定することができる。
【０１３５】
次に、本実施例におけるメディアに対するデータ記録処理シーケンスについて、図１１に示すフローチャートを参照して説明する。このフローに示す処理は、記録再生装置のデータ処理部において実行される。なお、このフローチャートは新型装置、旧型装置のいずれの処理も含むフローチャートとして示している。
【０１３６】
ステップＳ４０１において、記録再生装置のデータ処理部は、まず、記録データが規格（ＢＤ規格／ＡＶＣＨＤ規格）対応データであるか、規格非対応データであるかを判別する。記録データが規格（ＢＤ規格／ＡＶＣＨＤ規格）対応データである場合は既存データベース、非対応データである場合はファイルリスト（拡張データベース）を利用データベースとして選択する。なお、装置がファイルリスト（拡張データベース）を理解できない旧型装置である場合は、規格対応データの記録処理のみ処理可能である。また装置がファイルリスト（拡張データベース）を理解できる新型装置であり、記録データが規格（ＢＤ規格／ＡＶＣＨＤ規格）対応データである場合は既存データベースを選択し、非対応データである場合はファイルリスト（拡張データベース）を利用データベースとして選択することになる。
【０１３７】
記録データが規格（ＢＤ規格／ＡＶＣＨＤ規格）対応データである場合は、既存データベースの利用が選択され、ステップＳ４０２に進む。ステップＳ４０２では、既存データベースを利用したデータ記録処理が行われる。すなわち、記録データに応じたストリームファイルとクリップ情報ファイルを生成し、記録データに応じて既存データベースの更新、具体的には、インデックスファイル、ムービーオブジェクトファイルの更新と、プレイリストの生成を行う。
【０１３８】
次にステップＳ４０３に進む。ステップＳ４０３では、メディアの記録情報からファイルリスト（拡張データベース）が認識できたか否かを判定する。記録装置が旧型装置の場合は、ファイルリスト（拡張データベース）の認識はできないので、このステップＳ４０３の判定は、すべてＮｏとなる。また、記録装置が新型装置であっても、メディアにファイルリスト（拡張データベース）が生成されていない場合は、ステップＳ４０３の判定はＮｏとなる。ステップＳ４０３の判定がＮｏの場合、データ記録処理は終了する。
【０１３９】
ステップＳ４０３において、メディアの記録情報からファイルリスト（拡張データベース）が認識できた場合は、ステップＳ４０７に進む。ステップＳ４０７の処理は、ファイルリスト（拡張データベース）を認識可能な新型装置のみが実行する処理である。ステップＳ４０７では、既存データベースに登録された情報をファイルリスト（拡張データベース）にも登録するデータベース整合性調整を行う。
【０１４０】
この整合性調整処理は、先に説明したように、ファイルリスト（拡張データベース）から、既存規格対応のストリームファイルの再生ができなくなることを防止するために行われる。
【０１４１】
次に、ステップＳ４０１において、記録データが規格（ＢＤ規格／ＡＶＣＨＤ規格）非対応データであると判定した場合について説明する。この場合は、利用データベースをファイルリスト（拡張データベース）とした処理が行われることになり、ステップＳ４０４に進む。なお、ステップＳ４０４以降の処理は、ファイルリスト（拡張データベース）を認識可能な新型装置のみが実行する処理である。
【０１４２】
ステップＳ４０４では、メディアの記録情報からファイルリスト（拡張データベース）が認識できたか否かを判定する。記録装置が新型装置であっても、メディアにファイルリスト（拡張データベース）が生成されていない場合は、ステップＳ４０４の判定はＮｏとなる。ステップＳ４０４の判定がＮｏの場合、ステップＳ４０５においてファイルリスト（拡張データベース）の生成処理を行う。
【０１４３】
ステップＳ４０４において、メディアの記録情報からファイルリスト（拡張データベース）が認識できた場合、およびステップＳ４０５においてファイルリスト（拡張データベース）の生成処理が行われた場合、次に、ステップＳ４０６に進む。
【０１４４】
ステップＳ４０６では、ファイルリスト（拡張データベース）を利用したデータ記録処理が行われる。すなわち、記録データに応じたストリームファイルやクリップ情報ファイルを生成し、記録データに応じてファイルリスト（拡張データベース）の更新、具体的には、図９を参照して説明したように参照ファイルに対応するＵＲＩ（Ｕｎｉｆｏｒｍ  Ｒｅｓｏｕｒｃｅ  Ｉｄｅｎｔｉｆｉｅｒ）をファイルリストに登録する処理を行う。
【０１４５】
次に、ステップＳ４０７に進む。ステップＳ４０７では、既存データベースに登録された情報をファイルリスト（拡張データベース）にも登録するデータベース整合性調整（管理情報ファイル更新処理）を行う。なお、この処理は既存データベースの登録情報がすべてファイルリスト（拡張データベース）に登録されている（整合性あり）場合には実行する必要はない。ファイルリスト（拡張データベース）に登録されていないが既存データベースに登録された情報がある場合（整合性なし）にのみ実行する。
【０１４６】
本実施例では、情報処理装置のデータ処理部は、既存管理情報（既存データベース）に含まれるが、ファイルリスト（拡張データベース）に含まれない管理情報がある場合、その管理情報をファイルリスト（拡張データベース）に追加記録する管理情報ファイル更新処理を行う。この処理によって、ファイルリスト（拡張データベース）は、メディアに記録された再生用データを格納したデータファイルの全てをアクセス可能な情報（ＵＲＩ）を含む管理情報として設定することができる。
【０１４７】
［５．規格対応データと規格非対応データの記録、再生を可能とする記録データ管理構成例（第３実施例）］
上述した実施例では、ファイルリスト（拡張データベース）にデータ再生に適用するファィルのＵＲＩのみを記録する構成としていた。ファイルリストには、このＵＲＩ情報以外の情報を記録する設定としてもよい。ＵＲＩ以外の情報をファイルリストに登録した例について、以下実施例３として説明する。
【０１４８】
本実施例におけるファイルリスト３５０の例を図１２に示す。本実施例におけるファイルリスト３５０は、先に図９を参照して説明したと同様、規格対応データの再生に適用するプレイリストファイルのＵＲＩ、さらに規格非対応データの再生に適用するクリップ情報ファイルまたはストリームファイルのＵＲＩが登録されたファイルリストである。
【０１４９】
さらに、ファイルリスト３５０には、図１２に示すように、
シームレス再生可否情報：［ｎｏｎ−ｓｅａｍｌｅｓｓ］，［ｓｅａｍｌｅｓｓ］、
記録年月日情報：［２００８１２２５］等、
これらの情報を各エントリのＵＲＩとともに記録する構成としている。
【０１５０】
シームレス再生可否情報は、ストリームファイルの再生処理において、直前に再生しているファイルと連続に再生できるか否かを示す情報である。連続再生可能なデータについてはシームレス［ｓｅａｍｌｅｓｓ］との情報が設定される。連続再生できないデータについては、ノンシームレス［ｎｏｎ−ｓｅａｍｌｅｓｓ］との情報が設定される。なおシームレスの態様を識別可能な情報として設定してもよい。記録年月日情報はデータ記録を実行した日時情報である。これらの情報は、データ記録処理に際して記録装置のデータ処理部が設定する。なお、図１２に示す情報以外の情報をファイルリストに登録する構成としてもよい。
【０１５１】
ファイルリストを適用した再生処理を実行する場合、情報処理装置のデータ処理部は、ファイルリストの登録情報に従った再生処理を実現することができる。例えば記録順に並べて再生する処理や、シームレス接続されたファイルの連続再生処理などの再生制御が可能となる。
【０１５２】
［６．情報処理装置の構成例］
次に、上述したメディアに対するデータ記録処理やメディアからのデータ再生処理を実行する本発明の一実施例に係る情報処理装置の構成例について、図１３を参照して説明する。図１３は、本発明の一実施例に係る情報処理装置４００の構成例を示すブロック図である。情報処理装置４００は、メディア４１０に対するデータ記録、またはデータ再生の少なくともいずれかの処理を行う装置である。具体的には例えば、レコーダ、ビデオカメラ、ＰＣなどの装置である。
【０１５３】
なお、図１３にはメディア４１０としてディスク型メディアを示しているが、メディアはディスク型メディアに限らず、フラッシュメモリなどのメディアでもよい。
【０１５４】
情報処理装置４００は、図１３に示すように、データ処理部（制御部）４０１、通信部４０２、入力部４０３、出力部４０４、メモリ４０５、メディアインタフェース４０６を有する。
【０１５５】
データ処理部４０１は、様々なデータ処理プログラムを実行するプログラム実行機能を持つＣＰＵを有する。例えばデータ記録再生処理を行うアプリケーションプログラムを実行する。通信部４０２を介して入力する放送データなどのメディアに対する記録処理、あるいはメディアからの読み出しデータの再生処理などを行う。
【０１５６】
入力部４０３は、例えばユーザの操作部であり、データ記録または再生指示の入力など、様々な入力が行われる。なお、入力部４０３にはリモコンも含まれ、リモコン操作情報の入力も可能である。出力部４０４は、ディスプレイ、スピーカ等によって構成される画像や音声の出力部である。メモリ４０５は、ＲＡＭ，ＲＯＭ等によって構成され、データ処理部４０１において実行するアプリケーションプログラムなどの格納領域として利用される。メモリ４０５は、アプリケーション用のパラメータ、ワーク領域としても利用され、さらに、メディア記録データのバッファ領域などとしても利用される。
【０１５７】
メディアインタフェース４０６は、メディア４１０を利用したデータ記録、再生処理に適用されるインタフェースである。データ処理部４０１の要求に従って、データをメディア４１０に書き込み、またメディア４１０からのデータ読み取り処理などを行う。
【０１５８】
データ処理部４０１において実行されるデータ記録再生処理は、例えば先にフローチャートを参照して説明した処理である。これらの処理を実行するためのプログラムがメモリ４０５に格納されている。
【０１５９】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【０１６０】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１６１】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１６２】
以上、説明したように、本発明の一実施例構成によれば、メディアに対するデータ記録処理に際して、記録データがＢＤ規格やＡＶＣＨＤ規格などの規格対応データである場合は、規格対応データ専用管理情報ファイルに記録データの管理情報を記録し、規格非対応データである場合はファイルリストに記録データの再生に適用するファイル識別情報であるＵＲＩ（Ｕｎｉｆｏｒｍ  Ｒｅｓｏｕｒｃｅ  Ｉｄｅｎｔｉｆｉｅｒ）を記録する。規格対応データの再生時には規格対応データ専用管理情報ファイルを利用し、規格非対応データの再生時にはファイルリストを適用して再生処理を行う。
【符号の説明】
【０１６３】
１１０  ＢＤＭＶディレクトリ
１２０  既存管理情報（既存データベース）
１３０  ファイルリスト（拡張管理情報（拡張データベース））
１４０  プレイリストディレクトリ
１５０  クリップ情報ディレクトリ
１５１  クリップ情報ファイル
１６０  ストリームディレクトリ
１６１  ストリームファイル
１７０  ビデオディレクトリ
３３０  ファイルリスト（拡張管理情報（拡張データベース））
３５０  ファイルリスト（拡張管理情報（拡張データベース））
４００  情報処理装置
４０１  データ処理部
４０２  通信部
４０３  入力部
４０４  出力部
４０５  メモリ
４０６  メディアインタフェース
４１０  メディア
【図１】
2010244636.tif 000003
【図２】
2010244636.tif 000004
【図３】
2010244636.tif 000005
【図４】
2010244636.tif 000006
【図５】
2010244636.tif 000007
【図６】
2010244636.tif 000008
【図７】
2010244636.tif 000009
【図８】
2010244636.tif 000010
【図９】
2010244636.tif 000011
【図１０】
2010244636.tif 000012
【図１１】
2010244636.tif 000013
【図１２】
2010244636.tif 000014
【図１３】
2010244636.tif 000015